(57)【特許請求の範囲】
【請求項１】
第１のメモリーと、第２のメモリーと、読み出し制御部と、書き込み制御部と、前記第１のメモリーと前記読み出し制御部あるいは前記書き込み制御部の接続と前記第２のメモリーと前記読み出し制御部あるいは前記書き込み制御部の接続を切り換えるメモリー切り換え部とを備え、
前記書き込み制御部は、前記第１のメモリー又は第２のメモリーから読み出し制御部により読み出したデータを、第２のメモリー又は第１のメモリーに録音する際に、鍵盤情報があればデータインサートを行うように構成し、
前記メモリー切り換え部は、前記読み出し制御部から出力されるサイクル・エンド情報によって切り換えられるように構成したことを特徴とする電子楽器。
【発明の詳細な説明】
【０００１】
【産業上の利用分野】
本発明は曲の特定の区間を繰り返し録音出来るサイクル録音機能を持つ電子楽器に関するものである。
【０００２】
【従来の技術】
近年、電子楽器は高度の演奏録音再生機能を持つものが開発されている。特に録音機能に関しては、曲を特定区間毎（例えば１小節から５小節、６小節から１０小節等）に分割し、区間毎に繰り返し録音していき、１つの曲を完成させるサイクル録音方法が当初プロ用の機器で採用され、最近では一般に普及してきた。
【０００３】
以下に従来の電子楽器について説明する。
図４は従来の電子楽器の構成図を示すものである。図４において３１は鍵盤部、３２はデータ・インサート制御部、３３は読み出し制御部、３４は書き込み制御部、３５はスピーカ、３６はメモリーである。
【０００４】
以上のように構成された電子楽器について、以下その動作について説明する。まず、サイクル録音状態において、鍵盤が演奏（録音）されていない時は、シーケンス・データが記憶されているメモリー３６から特定区間（例えば１小節から５小節）のシーケンサ情報が読み出し制御部３３より時系列的に順次読み出されて、スピーカ３５より発音される。さらに、鍵盤が演奏されて鍵盤部３１から鍵盤トリガー情報が出力されると、シーケンサ・データ（曲データ）が記憶されているメモリー３６より特定区間のシーケンサ読み出し情報（例えば１小節から５小節）が読み出し制御部３３より読み出される。またデータ・インサート制御部３２に於いて、鍵盤部３１より出力された鍵盤情報が特定区間のシーケンサ読み出し情報にインサートされて書き込み制御部３４を通してメモリー３６に書き込まれる。このようにして、鍵盤が入力される度に新たな鍵盤情報がシーケンサ・データに追加されていく。また、特定区間の演奏データを最初から録音しなおす場合はクリヤー・ボタン（図示せず）を使って、特定区間のデータを全てクリヤーする。
【０００５】
図５を用いて、さらに詳しく説明する。
図５（ａ）はデータ・インサート前の特定区間（時間１〜時間Ｙ）のメモリー３６の内容を図示する。時間１には演奏データ１、時間２には演奏データ２、……、時間Ｘには演奏データ９９９９、時間Ｙには演奏データ１００００が記憶されている。この状態から時間１′（時間１≦時間１′≦時間２）に鍵盤から演奏データ１′が演奏されると、演奏データ２から演奏データ１００００までのデータが後ろにシフトされて、時間１′に演奏データ１′がインサートされる（図５（ｂ））。
【０００６】
【発明が解決しようとする課題】
しかしながら上記の従来の構成では、上述の例のように時間２から時間Ｙまでに記憶されている演奏データが多く含まれている場合は演奏データ２から演奏データ１００００までのデータシフトに時間がかかり（処理のピークが大きい）一瞬シーケンサ再生が止まったようになってしまうという問題点を有していた。
【０００７】
本発明は上記従来の問題点を解決するもので、特定区間のデータが多い場合でも鍵盤録音で生じるデータ・インサートによってシーケンサ再生が止まってしまわない電子楽器を提供することを目的とする。
【０００８】
【課題を解決するための手段】
この目的を達成するために本発明の電子楽器は、第１のメモリーと、第２のメモリーと、読み出し制御部と、書き込み制御部と、前記第１のメモリーと前記読み出し制御部あるいは前記書き込み制御部の接続と前記第２のメモリーと前記読み出し制御部あるいは前記書き込み制御部の接続を切り換えるメモリー切り換え部とを備え、
前記書き込み制御部は、前記第１のメモリー又は第２のメモリーから読み出し制御部により読み出したデータを、第２のメモリー又は第１のメモリーに録音する際に、鍵盤情報があればデータインサートを行うように構成し、
前記メモリー切り換え部は、前記読み出し制御部から出力されるサイクル・エンド情報によって切り換えられるように構成したものである。
【０００９】
【作用】
この構成によって、サイクル録音中常に読み出し用メモリー（例えば第１メモリー）のデータと鍵盤演奏のデータを書き込み用メモリー（例えば第２メモリー）に書き込むことにより、データ・シフトによる処理ピークがなく、シーケンサ再生が一瞬止まってしまわないサイクル録音機能を持つ電子楽器を実現することができる。
【００１０】
【実施例】
以下本発明の実施例について、図面を参照しながら説明する。
【００１１】
図１において、１１は鍵盤部、１２は読み出し制御部、１３は書き込み制御部、１４はスピーカ、１５はサイクル・エンド情報、１６はメモリー切り換え部、１７はメモリー１、１８はメモリー２である。
【００１２】
以上のように構成された電子楽器について、図１を用いてその動作を説明する。まず、
（１）メモリー切り換え部１６で（ａ−１）と（ｂ−１）がオンで（ａ−２）と（ｂ−２）がオフの時。
【００１３】
（メモリー１が再生用でメモリー２が録音用のメモリーとして使用される場合）
サイクル録音区間が設定され（設定装置は図示せず）サイクル録音が開始されると、メモリー１にあらかじめ記憶されているシーケンサ読み出し（自動演奏）情報がメモリー切り換え部１６を通して読み出し制御部１２より時系列的に読み出されてそのまま書き込み制御部１３に入力される。同時に鍵盤部１１から鍵盤情報が出力されて書き込み制御部１３に入力される。さらに書き込み制御部１３の出力はメモリー切り換え部１６を通してメモリー２に書き込まれる。つまり、メモリー１の内容が読み出し制御部１２で再生されかつメモリー２に書き込まれると共に、この時鍵盤情報があれば鍵盤情報も同時にメモリー２に書き込まれる。また、特定区間の演奏データを最初から録音しなおす場合はクリヤー・ボタン（図示せず）を使って、特定範囲のデータをすべてクリヤーすることが出来る。図２を用いて、さらに詳しく説明する。図２（ａ）はメモリー１の内容を示す。つまり、時間１に演奏データ１、時間２には演奏データ２、……、時間Ｘに演奏データ９９９９、時間Ｙに演奏データ１００００が記憶されている。いま、サイクル区間が時間１〜時間Ｙに設定されており、再生用の時間カウンタ（図示せず）は時間１、時間２、……、時間Ｙ、時間１、時間２、……と繰り返しカウントを行う。このカウンタに同期してメモリー１の内容が図１の読み出し制御部１２から繰り返し読み出されると共に、書き込み制御部１３によりメモリー２に書き込まれる。図２（ｂ）は時間１′におけるメモリー２の内容である。時間１′に鍵盤部１１より鍵盤情報が書き込み制御部１３に入力されメモリー２に書き込まれている。また図２（ｃ）は時間２におけるメモリー２の内容を示す。時間２に書き込まれている演奏データ２は時間２にメモリー１から読み出されて、メモリー２に書き込まれた演奏データである。また時間Ｙには図２（ｄ）で示すように、メモリー１の内容が全てメモリー２に複写されていると共に、時間１′で鍵盤演奏された演奏データ１′が時間１と時間２の間に書き込まれている。
【００１４】
時間がＹ＋１になると読み出し制御部１２はサイクル・エンド情報をメモリー切り換え部１６に出力する。この結果メモリー切り換え部１６でメモリー１、メモリー２と読み出し制御部１２と書き込み制御部１３の接続が以下のように変更される。
【００１５】
（２）メモリー切り換え部１６で（ａ−１）と（ｂ−１）がオフで（ａ−２）と（ｂ−２）がオン。
【００１６】
（メモリー１が録音用でメモリー２が再生用のメモリーとして使用される場合）
この場合は上記（１）の説明で、メモリー１とメモリー２の役割を逆にして考えればよい。この時のメモリー１，２の内容を図３に示す。
【００１７】
このようにして、特定時間（Ｙ−１）毎に、読み出し制御部１２からサイクル・エンド情報がメモリー切り換え部１６に出力されてメモリー１とメモリー２の役割が反転されるとともに、その間演奏された鍵盤情報がメモリーに書き込まれていく。尚メモリー切り換え部１６は（ａ−１），（ｂ−１）が共にオンで（ｂ−１），（ｂ−２）が共にオフか（ａ−１），（ｂ−１）が共にオフで（ｂ−１），（ｂ−２）が共にオンの２通りの場合しかない。
【００１８】
【発明の効果】
以上のように本発明は、第１のメモリーと、第２のメモリーと、読み出し制御部と、書き込み制御部と、前記第１のメモリーと前記読み出し制御部あるいは前記書き込み制御部の接続と前記第２のメモリーと前記読み出し制御部あるいは前記書き込み制御部の接続を切り換えるメモリー切り換え部とを備え、前記書き込み制御部は、前記第１のメモリー又は第２のメモリーから読み出し制御部により読み出したデータを、第２のメモリー又は第１のメモリーに録音する際に、鍵盤情報があればデータインサートを行うように構成し、前記メモリー切り換え部は、前記読み出し制御部から出力されるサイクル・エンド情報によって切り換えられるように構成することにより、サイクル区間のデータが多い場合でも鍵盤録音によるデータ・インサートによってシーケンサ再生が一瞬止まってしまわない電子楽器を実現するものである。
【図面の簡単な説明】
【図１】本発明の実施例における電子楽器の構成図
【図２】本発明の実施例における電子楽器の動作説明のためのメモリーの内容を示す図
【図３】同メモリーの内容を示す図
【図４】従来の電子楽器の構成図
【図５】従来の電子楽器の動作説明のためのメモリーの内容図
【符号の説明】
１１  鍵盤部
１２  読み出し制御部
１３  書き込み制御部
１４  スピーカ
１５  サイクル・エンド情報
１６  メモリー切り換え部
１７  メモリー１
１８  メモリー２
【図１】
0003610610.tif 000002
【図２】
0003610610.tif 000003
【図３】
0003610610.tif 000004
【図４】
0003610610.tif 000005
【図５】
0003610610.tif 000006